(57)【要約】【課題】  高炉が巻き替えられて内容積が拡大した場合であっても、新たな送風機の設置を必要としないで、しかも、放風量を最小にすることができる高炉送風システムおよび高炉送風システムの更新方法を提供する。【解決手段】  高炉送風システム３００は、高炉６と、これに熱風を供給するための熱風炉４ａ、４ｂ、４ｃと、この何れか１または２以上に冷風を選択的に供給する大型送風機２ａとを具備するものに対し、小型送風機２ｂまたはアキュムレータ９の一方または両方を設置する。また、高炉送風システムの更新方法は、高炉６の内容積を拡大する工程と、小型送風機２ｂを設置する工程または大型送風機２ａから送り出された冷風を蓄積するアキュムレータ９を設置する工程の一方または両方とを有し、内容積拡大に伴って熱風炉４ａ、４ｂ、４ｃを充圧する時に不足する送風量を、小型送風機２ｂまたはアキュムレータ９によって賄う。【選択図】    図５
2006274358.tif 000002
【特許請求の範囲】
【請求項１】
１の高炉と、該高炉に熱風を供給するための複数の熱風炉と、該複数の熱風炉の何れか１または２以上に冷風を選択的に供給する１の送風機と、該送風機から送りだされた冷風を蓄積するアキュムレータとを有し、
該アキュムレータに蓄積された冷風が前記熱風炉の充圧に供されることを特徴とする高炉送風システム。
【請求項２】
１の高炉と、該高炉に熱風を供給するための複数の熱風炉と、該複数の熱風炉の何れか１または２以上に冷風を選択的に供給する１の送風機と、該送風機の送風容量よりも小さな送風容量の小型送風機とを有し、
前記小型送風機から送りだされた冷風が、前記複数の熱風炉の何れか１または２以上の熱風炉に供給され、該熱風炉の充圧に供されることを特徴とする高炉送風システム。
【請求項３】
１の高炉と、該高炉に熱風を供給するための複数の熱風炉と、該複数の熱風炉の何れか１または２以上に冷風を選択的に供給する１の送風機とを具備する高炉送風系を複数有し、
該複数の高炉送風系の送風機の送風容量よりも小さな送風容量で、前記複数の高炉送風系に共通した小型送風機が設置され、該小型送風機から送りだされた冷風が、前記複数の高炉送風系の何れか１または２以上の高炉送風系における前記複数の熱風炉の何れか１または２以上の熱風炉に供給され、該熱風炉の充圧に供されることを特徴とする高炉送風システム。
【請求項４】
前記小型送風機から送り出された冷風を充圧するアキュムレータが設置されることを特徴とする請求項２または３記載の高炉送風システム。
【請求項５】
１の高炉と、該高炉に熱風を供給するための複数の熱風炉と、該複数の熱風炉の何れか１または２以上に冷風を選択的に供給する１の送風機とを具備する高炉送風システムの更新方法であって、
前記高炉の内容積を拡大する工程と、前記送風機から送りだされた冷風を蓄積するアキュムレータを設置する工程とを有し、
該アキュムレータに蓄積された冷風が前記複数の熱風炉の何れか１または２以上の熱風炉に供給され、該熱風炉の充圧に供されることを特徴とする高炉送風システムの更新方法。
【請求項６】
１の高炉と、該高炉に熱風を供給するための複数の熱風炉と、該複数の熱風炉の何れか１または２以上に冷風を選択的に供給する１の送風機とを具備する高炉送風システムの更新方法であって、
前記高炉の内容積を拡大する工程と、前記送風機の送風容量よりも小さな送風容量の小型送風機を設置する工程とを有し、
該小型送風機から送りだされた冷風が、前記複数の熱風炉の何れか１または２以上の熱風炉に供給され、該熱風炉の充圧に供されることを特徴とする高炉送風システムの更新方法。
【請求項７】
１の高炉と、該高炉に熱風を供給するための複数の熱風炉と、該複数の熱風炉の何れか１または２以上に冷風を選択的に供給する１の送風機とを具備する高炉送風システムの更新方法であって、
前記高炉の内容積を拡大する工程と、前記送風機から送りだされた冷風を蓄積するアキュムレータを設置する工程と、前記送風機の送風容量よりも小さな送風容量の小型送風機を設置する工程とを有し、
該小型送風機から送りだされた冷風が前記アキュムレータに蓄積され、さらに、前記アキュムレータに蓄積された冷風が前記複数の熱風炉の何れか１または２以上の熱風炉に供給され、該熱風炉の充圧に供されることを特徴とする高炉送風システムの更新方法。
【発明の詳細な説明】
【技術分野】
【０００１】
本発明は、高炉送風システム、特に、巻き替え後高炉における高炉送風システム、および高炉送風システムの更新方法に関する。
【背景技術】
【０００２】
図１０は、従来の高炉送風システムを模式的に示す構成図である。図１０において、高炉送風システム９００は、１の高炉６と、高炉６に熱風を供給するための熱風炉４ａ、４ｂ、４ｃと、熱風炉４ａ、４ｂ、４ｃの何れか１または２以上に冷風を選択的に供給する１の送風機２とを有している。熱風炉４ａ、４ｂ、４ｃの蓄熱体（図示しない）は燃焼ガスの燃焼による蓄熱と、冷風の供給（以下「送風」と称す）による放熱を約１時間周期で順次繰り返している。
【０００３】
すなわち、高炉６には熱風を継続して安定して供給する必要があるため、たとえば、熱風炉４ａから高炉に熱風が供給されている時間帯（ｔｓ）に、その他の熱風炉４ｂ、４ｃの内部で燃焼ガスを燃焼し、熱風炉４ｂ、４ｃの蓄熱体の温度を所定の高温に加熱する。そして、熱風炉４ａの蓄熱体の温度が冷風との熱交換によって所定の温度以下に降下する前に、熱風炉４ａへの冷風の供給に並行して、既に蓄熱体が加熱されている熱風炉４ｂ（燃焼が終了している）に冷風を供給する。すなわち、充圧時間（ｔｐ）の間は、一方の熱風炉への送風に並行して他方の熱風炉を充圧する。
【０００４】
やがて、熱風炉４ｂ気圧が所定の圧力に上昇（充圧の完了に同じ）したところで、熱風炉４ｂから高炉６への熱風供給を開始する（熱風炉４ｂへの送風開始に同じ）。また、熱風炉４ａへの冷風供給を停止して熱風炉４ａから高炉への熱風供給を停止し、今度は、熱風炉４ａの内部で燃焼ガスを燃焼するものである。
このとき、送風を熱風炉４ａから熱風炉４ｂに切り替える際、送風機２は、高炉６に供給するための定常的な量（Ｗ０）に加えて熱風炉４ｂを充圧のための必要な量（Ｗ２）を送風する必要がある。
【０００５】
このため、通常、送風機は、定常的な量に加えて充圧のための必要な量を送風する能力（Ｗ０＋Ｗ２）を有し、切り替えタイミング以外の時間帯（充圧をしない時間帯に同じ）は、送風機の送風能力をサージングが発生しない程度に抑える運転を行っている。サージングが発生する運転となった場合は、余剰の流量を大気中に放散（以下「放風」と称す）しサージングを回避している。
そして、切り替える際に、高炉６に供給される熱風の風量や送風圧力の変動を解消するため、放風量を調整する発明が開示されている（例えば、特許文献１参照）。
【特許文献１】特開２００１−２３４２１８号公報（第３頁、第２図）
【発明の開示】
【発明が解決しようとする課題】
【０００６】
しかしながら、特許文献１に開示された発明は、既設の高炉における高炉送風システムにおいては有効であって、高炉の安定操業に寄与しているものであるところ、高炉が巻き替えられて内容積が拡大した場合には、かかる拡大した内容積に対応した新たな送風機を設置する必要があるという問題があった。
【０００７】
本発明は上記課題を解決するためのものであり、高炉が巻き替えられて内容積が拡大した場合であっても、新たな送風機の設置を必要としないで、しかも、放風量を最小にすることができる高炉送風システムおよび高炉送風システムの更新方法を提供することを目的とする。
【課題を解決するための手段】
【０００８】
（１）本発明に係る高炉送風システムは、１の高炉と、該高炉に熱風を供給するための複数の熱風炉と、該複数の熱風炉の何れか１または２以上に冷風を選択的に供給する１の送風機と、該送風機から送り出された冷風を蓄積するアキュムレータとを有し、
該アキュムレータに蓄積された冷風が前記熱風炉の充圧に供されることを特徴とする。
【０００９】
（２）また、１の高炉と、該高炉に熱風を供給するための複数の熱風炉と、該複数の熱風炉の何れか１または２以上に冷風を選択的に供給する１の送風機と、該送風機の送風容量よりも小さな送風容量の小型送風機とを有し、
前記小型送風機から送り出された冷風が、前記複数の熱風炉の何れか１または２以上の熱風炉に供給され、該熱風炉の充圧に供されることを特徴とする。
【００１０】
（３）また、１の高炉と、該高炉に熱風を供給するための複数の熱風炉と、該複数の熱風炉の何れか１または２以上に冷風を選択的に供給する１の送風機とを具備する高炉送風系を複数有し、
該複数の高炉送風系の送風機の送風容量よりも小さな送風容量で、前記複数の高炉送風系に共通した小型送風機が設置され、該小型送風機から送り出された冷風が、前記複数の高炉送風系の何れか１または２以上の高炉送風系における前記複数の熱風炉の何れか１または２以上の熱風炉に供給され、該熱風炉の充圧に供されることを特徴とする。
【００１１】
（４）また、前記（２）または（３）において、前記小型送風機から送り出された冷風を充圧するアキュムレータが設置されることを特徴とする。
【００１２】
（５）さらに、本発明に係る高炉送風システムの更新方法は、１の高炉と、該高炉に熱風を供給するための複数の熱風炉と、該複数の熱風炉の何れか１または２以上に冷風を選択的に供給する１の送風機とを具備する高炉送風システムにおいて、
前記高炉の内容積を拡大する工程と、前記送風機から送り出された冷風を蓄積するアキュムレータを設置する工程とを有し、
該アキュムレータに蓄積された冷風が前記複数の熱風炉の何れか１または２以上の熱風炉に供給され、該熱風炉の充圧に供されることを特徴とする。
【００１３】
（６）また、１の高炉と、該高炉に熱風を供給するための複数の熱風炉と、該複数の熱風炉の何れか１または２以上に冷風を選択的に供給する１の送風機とを具備する高炉送風システムにおいて、
前記高炉の内容積を拡大する工程と、前記送風機の送風容量よりも小さな送風容量の小型送風機を設置する工程とを有し、
該小型送風機から送り出された冷風が、前記複数の熱風炉の何れか１または２以上の熱風炉に供給され、該熱風炉の充圧に供されることを特徴とする。
【００１４】
（７）また、１の高炉と、該高炉に熱風を供給するための複数の熱風炉と、該複数の熱風炉の何れか１または２以上に冷風を選択的に供給する１の送風機とを具備する高炉送風システムにおいて、
前記高炉の内容積を拡大する工程と、前記送風機から送り出された冷風を蓄積するアキュムレータを設置する工程と、前記送風機の送風容量よりも小さな送風容量の小型送風機を設置する工程とを有し、
該小型送風機から送り出された冷風が前記アキュムレータに蓄積され、さらに、前記アキュムレータに蓄積された冷風が前記複数の熱風炉の何れか１または２以上の熱風炉に供給され、該熱風炉の充圧に供されることを特徴とする。
【発明の効果】
【００１５】
したがって、本発明に高炉送風システムおよび高炉送風システムの更新方法は、高炉が巻き替えられて内容積が拡大した場合であっても、新たな送風機を設置することなく、アキュムレータまたは小さな送風容量の小型送風機を設置するだけで、熱風炉の充圧を可能にするから、設備更新のコストを大幅に低減することができる。
【発明を実施するための最良の形態】
【００１６】
［実施形態１］
（アキュムレータ）
図１は本発明の実施形態１に係る高炉送風システムの構成を模式的に示す構成図である。図１において、高炉送風システム１００は、送風機２と、熱風炉４ａ、４ｂ、４ｃと、高炉６とを有している。
送風機２の上流には吸引配管１が接続され、吸引配管１にはバグフィルタ１１および吸込弁１２が設置されている。また、送風機２の下流には送風配管３が接続され、送風配管３には、吐出絞り弁３１、吐出弁３２、送風流量計３３が設置されている。また、送風配管３の下流部は送風分岐管３ａ、３ｂ、３ｃに分岐して、それぞれが熱風炉４ａ、４ｂ、４ｃに接続されている。
【００１７】
そして、熱風炉４ａ、４ｂ、４ｃにはそれぞれ熱風分岐管５ａ、５ｂ、５ｃが接続され、熱風分岐管５ａ、５ｂ、５ｃは熱風配管５に集合された後、熱風配管５が高炉６に接続されている。なお、送風分岐管３ａ、３ｂ、３ｃにはそれぞれ送風分岐弁３１ａ、３１ｂ、３１ｃが、熱風分岐管５ａ、５ｂ、５ｃにはそれぞれ熱風分岐弁５１ａ、５１ｂ、５１ｃが設置されている。
【００１８】
また、送風配管３の下流部には充圧配管７が接続され、充圧配管７には、充圧流量計７３が設置されている。そして、充圧配管７は充圧分岐管７ａ、７ｂ、７ｃに分岐して、それぞれが熱風炉４ａ、４ｂ、４ｃに接続されている。なお、充圧分岐管７ａ、７ｂ、７ｃにはそれぞれ充圧分岐弁７１ａ、７１ｂ、７１ｃが設置されている。
【００１９】
また、送風機２の下流には放風配管８が接続され、放風配管８には、放風弁８１および放風部８２が設置されて、さらに、放風配管８にはアキュムレータ９が設置されている。
【００２０】
図２は図１に示す高炉送風システムにおけるアキュムレータの作用を模式的に示す送風流量図であって、（ａ）は送風時、（ｂ）は充圧時である。すなわち、送風時（充圧時を除く時間に同じ）において、送風機２から単位時間当たり流量Ｖ１の冷風が送られている。このとき、たとえば、熱風炉４ａに供給する送風量が単位時間当たりＶ０であるから、単位時間当たりの差（Ｖ１−Ｖ０）がアキュムレータ９に蓄圧されることになる（図２の（ａ）参照）。
一方、充圧時にも送風機２からは単位時間当たり流量Ｖ１の冷風が送られている。そして、熱風炉４ａには単位時間当たりＶ０の冷風を供給すると共に、熱風炉４ｂには単位時間当たりＶ２の冷風を供給して熱風炉４ｂを充圧している。
【００２１】
このとき、流量（Ｖ０＋Ｖ２）と流量Ｖ１との差が、すなわち、充圧時の不足部がアキュムレータ９に蓄圧された冷風によって賄われる。
すなわち、熱風炉４ｂの充圧時間（ＴＰ）に比較して熱風炉４ａの一回当たりの送風時間（ＴＳ）は十分に長いから、蓄圧する単位時間当たりの差（Ｖ１−Ｖ０）は僅かであっても、充圧のための単位時間当たり流量Ｖ２を賄うことができるから、
（Ｖ１−Ｖ０）・ＴＳ＞（Ｖ０＋Ｖ２）・ＴＰ  ・・・・・（式１）
の関係がある。なお、余剰分は放風部８２から放散されることになる。
【００２２】
以上より、アキュムレータ９が設置されない場合には、送風機２は単位時間当たり流量（Ｖ０＋Ｖ２）を送風する能力が必要であるところ、本発明はアキュムレータ９を具備するから、送風機２の送風容量をＶ１に抑えることが可能になる。よって、送風機２が小型で安価になるから、高炉送風システム１００の建設コストを抑えることが可能になる。
【００２３】
さらに、既設の高炉送風システム９００（図１０参照）において、高炉６の巻き替え工事によって高炉６の内容積が拡大した場合、たとえば、熱風炉４ａに供給する送風量が単位時間当たりＷ０からＶ０に増大し、熱風炉４ｂを充圧するための送風量が単位時間当たりＷ２からＶ２に増大した場合であっても、既設の送風機２は（Ｗ０＋Ｗ２）の送風容量があるため、
（Ｗ０＋Ｗ２−Ｖ０）・ＴＳ＞（Ｖ０＋Ｖ２）・ＴＰ  ・・・・・（式２）
の関係が成り立つ限り、本発明によってアキュムレータ９を設置すれば、既設の送風機２を新規の大型送風機に更新する必要がない。よって、高炉６の巻き替え工事に伴う、設備更新コストが大幅に低下する。
【００２４】
［実施形態２］
（小型送風機）
図３は本発明の実施形態２係る高炉送風システムの構成を模式的に示す構成図である。なお、実施の形態１（図１）と同じ部分にはこれと同じ符号を付し、一部の説明を省略する。図３において、高炉送風システム２００は、大型送風機２ａおよび小型送風機２ｂと、熱風炉４ａ、４ｂ、４ｃと、高炉６とを有している。
【００２５】
図４は図３に示す高炉送風システムにおける小型送風機の作用を模式的に示す送風流量図であって、（ａ）は送風時、（ｂ）は充圧時である。すなわち、熱風炉４ａに供給する送風量が単位時間当たりＶ０であるから、流量Ｖ０を大型送風機２ａが供給し、充圧に要する単位時間当たり流量Ｖ２を小型送風機２ｂが供給している。
【００２６】
以上より、送風機２を単位時間当たりの流量が（Ｖ０＋Ｖ２）である大送風容量にすることなく、送風容量Ｖ０の大型送風機２ａと送風容量Ｖ２の小型送風機２ｂとの構成によって、充圧することが可能になるため、送風機２が安価になるから、高炉送風システム２００の建設コストを抑えることが可能になる。
【００２７】
さらに、既設の高炉送風システム９００（図１０参照）において、高炉６の巻き替え工事によって高炉６の内容積が拡大した場合、たとえば、熱風炉４ａに供給する送風量が単位時間当たりＷ０からＶ０に増大し、熱風炉４ｂを充圧するための送風量が単位時間当たりＷ２からＶ２に増大した場合であっても、既設の送風機２は（Ｗ０＋Ｗ２）の送風容量であるため、
（Ｗ０＋Ｗ２＋Ｙ２）＞（Ｖ０＋Ｖ２）  ・・・・・（式３）
の関係が成り立つ程度の送風容量Ｙ２の小型送風機２ｂを設置すればよく、既設の送風機２を新規の大型送風機に更新する必要がない。よって、高炉６の巻き替え工事に伴う、設備更新コストが大幅に低下する。
【００２８】
［実施形態３］
（アキュムレータ・小型送風機）
図５は本発明の実施形態３に係る高炉送風システムの構成を模式的に示す構成図である。なお、実施の形態１、２（図１、３）と同じ部分にはこれと同じ符号を付し、一部の説明を省略する。図５において、高炉送風システム３００は、大型送風機２ａおよび小型送風機２ｂと、熱風炉４ａ、４ｂ、４ｃと、高炉６と、アキュムレータ９とを有している。
【００２９】
したがって、実施の形態１、２（図１、３）から明らかなように、アキュムレータ９の作用によって、よって、小型送風機２ｂがさらに小型で安価になるから、高炉送風システム１００の建設コストをさらに抑えることが可能になる。
【００３０】
さらに、既設の高炉送風システム９００（図１０参照）の更新に際して、
（Ｗ０＋Ｗ２＋Ｙ２）＞（Ｖ０＋Ｖ２）  ・・・・・（式４）
が成り立たないほど送風容量が小さい小型送風機２ｂであっても、本発明におけるアキュムレータ９の作用によって、
（Ｗ０＋Ｗ２＋Ｙ２−Ｖ０）・ＴＳ＞（Ｖ０＋Ｖ２）・ＴＰ  ・・・・・（式５）
の関係が成り立つ限り、充圧をすることが可能になる。よって、既設の送風機２を新規の大型送風機に更新する必要がなく、新規設置する小型送風機２ｂの送風容量をさらに小さくすることができるから、高炉６の巻き替え工事に伴う、設備更新コストがさらに大幅に低下する。
【００３１】
［実施形態４］
（複数高炉・アキュムレータ）
図６は本発明の実施形態４に係る高炉送風システムの構成を模式的に示す構成図である。なお、実施の形態１、２（図１、３）と同じ部分にはこれと同じ符号を付し、一部の説明を省略する。図６において、高炉送風システム４００は、高炉１基に対して熱風炉３基と大型送風機１基とを有する従来の高炉送風システム９００（図１０参照）の３系列が、放風配管８（送風配管３に同じ）において連結され、これに、アキュムレータ１０９が設置されたものである。
なお、説明の便宜のため、第１の高炉送風システム９００における各部材の符号の百の位（３桁目）に「１」を付し「第１系列」と称し、第２の高炉送風システム９００における各部材の符号の百の位に「２」を付し「第２系列」と称し、第３の高炉送風システム９００における各部材の符号の百の位に「３」を付し「第３系列」と称し、各系列の高炉１０６、２０６、３０６は同一内容積、および大型送風機１０２、２０２、３０２は同一送風容量とする。
【００３２】
図７は図６に示す高炉送風システムにおけるアキュムレータの作用を模式的に示す送風流量図であって、（ａ）は送風時、（ｂ）は充圧時である。すなわち、送風時（充圧時を除く時間に同じ）において、送風機１０２、２０２、３０２からそれぞれ単位時間当たり流量Ｖ１の冷風が送られている。このとき、たとえば、熱風炉１０４ａ、２０４ａ、３０４ａに供給する送風量がそれぞれ単位時間当たりＶ０であるから、単位時間当たりの差（３・（Ｖ１−Ｖ０））がアキュムレータ１０９に蓄圧されることになる（図２の（ａ）参照）。
【００３３】
そして、各系列における熱風炉の切り替えてタイミング（充圧タイミングに同じ）をズラしている。すなわち、第１系列において熱風炉１０４ａに単位時間当たりＶ０の冷風を供給しながら熱風炉１０４ｂには単位時間当たりＶ２の冷風を供給して熱風炉１０４ｂを充圧し、充圧が完了した後、熱風炉１０４ａへの送風を停止する。続いて、第２系列において熱風炉２０４ａに単位時間当たりＶ０の冷風を供給しながら熱風炉２０４ｂには単位時間当たりＶ２の冷風を供給して熱風炉２０４ｂを充圧し、充圧が完了した後、熱風炉２０４ａへの送風を停止する。さらに、これに続いて、第３系列において熱風炉３０４ａに単位時間当たりＶ０の冷風を供給しながら熱風炉３０４ｂには単位時間当たりＶ２の冷風を供給して熱風炉３０４ｂを充圧し、充圧が完了した後、熱風炉３０４ａへの送風を停止する。
【００３４】
このとき、各系列のおける充圧に供される流量（Ｖ０＋Ｖ２）と送風機の送風流量Ｖ１との差、すなわち、充圧時の不足分が共通のアキュムレータ１０９に蓄圧された冷風によって賄われる。
すなわち、熱風炉１０４ａ、２０４ａ、３０４ａ・・・の一回当たりの送風時間（ＴＳ）の間に、熱風炉１０４ｂ、２０４ｂ、３０４ｂはそれぞれ１回の充圧（１回の充圧時間＝３・ＴＰ）が実行されるから、
３・（Ｖ１−Ｖ０）・ＴＳ＞（Ｖ０＋Ｖ２）・（３・ＴＰ）  ・・・・・（式６）
の関係がある。なお、余剰分は放風部３８２から放散されることになる。
【００３５】
以上より、共通のアキュムレータ１０９が設置されない場合には、送風機１０２、２０２、３０２はそれぞれ単位時間当たり流量（Ｖ０＋Ｖ２）を送風する能力が必要であったところ、本発明は共通のアキュムレータ１０９を具備するから、送風機１０２、２０２、３０２の送風容量をＶ１に抑えることが可能になる。よって、送風機１０２、２０２、３０２が小型で安価になるから、高炉送風システム４００の建設コストを抑えることが可能になる。
【００３６】
さらに、３系列の既設の高炉送風システム９００（図１０参照）において、各高炉６の巻き替え工事によって高炉６の内容積が拡大した場合、たとえば、各熱風炉４ａに供給する送風量が単位時間当たりＷ０からＶ０に増大し、各熱風炉４ｂを充圧するための送風量が単位時間当たりＷ２からＶ２に増大した場合であっても、それぞれの既設の送風機２は（Ｗ０＋Ｗ２）の送風容量があるため、
３・（Ｗ０＋Ｗ２−Ｖ０）・ＴＳ＞（Ｖ０＋Ｖ２）・（３・ＴＰ）  ・・・・（式７）
の関係が成り立つ限り、本発明によって何れかの系列に共通のアキュムレータ９を設置すれば、既設の送風機２を新規の大型送風機に更新する必要がない。よって、高炉６の巻き替え工事に伴う、設備更新コストが大幅に低下する。
なお、以上は、各系列の能力等を同一にした場合について説明しているが、各系列の能力等がそれぞれ相違してもよい。また、高炉送風システム４００を構成する系列の数（高炉の数に同じ）は限定するものではない。
【００３７】
［実施形態５］
（複数高炉・小型送風機）
図８は本発明の実施形態４に係る高炉送風システムの構成を模式的に示す構成図である。なお、実施の形態１、２（図１、３）と同じ部分にはこれと同じ符号を付し、一部の説明を省略する。図８において、高炉送風システム５００は、高炉１基に対して熱風炉３基と大型送風機１基とを有する従来の高炉送風システム９００（図１０参照）の３系列が、放風配管８（送風配管３に同じ）において連結され、これに、小型送風１０２ｂが設置されたものである。
なお、説明の便宜のため、第１の高炉送風システム９００における各部材の符号の百の位（３桁目）に「１」を付し「第１系列」と称し、第２の高炉送風システム９００における各部材の符号の百の位に「２」を付し「第２系列」と称し、第３の高炉送風システム９００における各部材の符号の百の位に「３」を付し「第３系列」と称し、各系列の高炉１０６、２０６、３０６は同一内容積、および大型送風機１０２ａおよび送風機２０２、３０３は同一送風容量とする。
【００３８】
図９は図８に示す高炉送風システムにおける小型送風機の作用を模式的に示す送風流量図であって、（ａ）は送風時、（ｂ）は充圧時である。
すなわち、熱風炉１０４ａ、２０４ａ、３０４ａに供給する送風量が単位時間当たりＶ０であるから、それぞれ流量Ｖ０を大型送風機１０２ａおよび送風機２０２、３０２が供給している。そして、各系列のおける充圧タイミングをズラし、それぞれ、充圧に要する単位時間当たり流量Ｖ２を小型送風機１０２ｂが供給している。
【００３９】
以上より、大型送風機１０２ａおよび送風機２０２、２０３を単位時間当たりの流量が（Ｖ０＋Ｖ２）である大送風容量にすることなく、送風容量Ｖ０の大型送風機１０２ａおよび送風機２０２、２０３と送風容量Ｖ２の小型送風機１０２ｂとの構成によって、充圧することが可能になるため、大型送風機１０２ａおよび送風機２０２、２０３が安価になるから、高炉送風システム５００の建設コストを抑えることが可能になる。
【００４０】
さらに、３系列の既設の高炉送風システム９００（図１０参照）において、各高炉６の巻き替え工事によって高炉６の内容積が拡大した場合、たとえば、各熱風炉４ａに供給する送風量が単位時間当たりＷ０からＶ０に増大し、各熱風炉４ｂを充圧するための送風量が単位時間当たりＷ２からＶ２に増大した場合であっても、既設の大型送風機１０２ａおよび送風機２０２、２０３は何れも（Ｗ０＋Ｗ２）の送風容量であるため、
（３・（Ｗ０＋Ｗ２）＋Ｙ２）＞（Ｖ０＋Ｖ２）  ・・・・・（式８）
の関係が成り立つ程度の送風容量Ｙ２の共通の小型送風機１０２ｂを設置すればよく、３系列のそれぞれにおいて既設の大型送風機１０２ａおよび送風機２０２、３０２を新規の大型送風機に更新する必要がない。
【００４１】
よって、高炉６の巻き替え工事に伴う、設備更新コストが大幅に低下する。さらに、前述の実施形態４に準じて、アキュムレータを設置すれば、共通の小型送風機１０２ｂの送風容量をさらに小さくすることができるものである。
なお、以上は、各系列の能力等を同一にした場合について説明しているが、各系列の能力等がそれぞれ相違してもよい。また、高炉送風システム４００を構成する系列の数（高炉の数に同じ）は限定するものではない。
【産業上の利用可能性】
【００４２】
以上のように本発明の高炉送風システムおよび高炉送風システムの更新方法は、新設時には送風機の送風容量を小さく抑え、高炉巻き替え時には大送風容量の送風機への更新を必要としないから、新設時並びに更新時の高炉送風システムおよび高炉送風システムの更新方法として広く利用することができる。
【図面の簡単な説明】
【００４３】
【図１】本発明の実施形態１に係る高炉送風システムの構成を模式的に示す構成図。
【図２】図１に示す高炉送風システムにおけるアキュムレータの送風流量図。
【図３】本発明の実施形態２係る高炉送風システムの構成を模式的に示す構成図。
【図４】図３に示す高炉送風システムにおける小型送風機の作用を示す送風流量図。
【図５】本発明の実施形態３係る高炉送風システムの構成を模式的に示す構成図。
【図６】本発明の実施形態４係る高炉送風システムの構成を模式的に示す構成図。
【図７】図６に示す高炉送風システムにおけるアキュムレータの送風流量図。
【図８】本発明の実施形態４係る高炉送風システムの構成を模式的に示す構成図。
【図９】図８に示す高炉送風システムにおける小型送風機の作用を示す送風流量図。
【図１０】従来の高炉送風システム９００を模式的に示す構成図。
【符号の説明】
【００４４】
１   吸引配管
２   送風機
２ａ 大型送風機
２ｂ 小型送風機
３   送風配管
３ａ 送風分岐管
３ｂ 送風分岐管
３ｃ 送風分岐管
４ａ 熱風炉
４ｂ 熱風炉
４ｃ 熱風炉
５   熱風配管
５ａ 熱風分岐管
５ｂ 熱風分岐管
５ｃ 熱風分岐管
６   高炉
７   充圧配管
７ａ 充圧分岐管
７ｂ 充圧分岐管
７ｃ 充圧分岐管
８   放風配管
９   アキュムレータ
１１   バグフィルタ
１２   吸込弁
２１ａ 大型送風機
３１   吐出絞り弁
３１ａ 送風分岐弁
３１ｂ 送風分岐弁
３１ｃ 送風分岐弁
３２   吐出弁
３３   送風流量計
５１ａ 熱風分岐弁
５１ｂ 熱風分岐弁
５１ｃ 熱風分岐弁
７１ａ 充圧分岐弁
７１ｂ 充圧分岐弁
７１ｃ 充圧分岐弁
７３   充圧流量計
８１   放風弁
８２   放風部
１００ 高炉送風システム（実施形態１）
２００ 高炉送風システム（実施形態２）
３００ 高炉送風システム（実施形態３）
４００ 高炉送風システム（実施形態４）
５００ 高炉送風システム（実施形態５）
９００ 高炉送風システム（従来）
【図１】
2006274358.tif 000003
【図２】
2006274358.tif 000004
【図３】
2006274358.tif 000005
【図４】
2006274358.tif 000006
【図５】
2006274358.tif 000007
【図６】
2006274358.tif 000008
【図７】
2006274358.tif 000009
【図８】
2006274358.tif 000010
【図９】
2006274358.tif 000011
【図１０】
2006274358.tif 000012